(57)【特許請求の範囲】
【請求項１】
光源と、前記光源からの光束を部分的に遮蔽可能な遮光部と、前記遮光部を動作させる駆動機構とを有する照明光学系と、
前記照明光学系からの照明光によって照明される光変調装置と
を備え、
前記遮光部は、前記駆動機構に駆動されて所定の回動軸のまわりに回動することで遮蔽領域の大きさを変化させ、
前記遮光部は、前記回動時の前記遮蔽領域と非遮蔽領域との境界部に対応する先端側端部を有し、
前記遮光部が最大遮蔽状態に位置する場合、前記先端側端部の前記光束の中心軸方向から見た形状は、直線状であり、
前記先端側端部は、第１の領域と、前記遮光部の回動時に前記第１の領域より光源側に位置する第２の領域とを備え、
前記第１の領域は、前記先端側端部において、複数個所に分離しており、
前記第２の領域は、前記第１の領域の間に位置する、プロジェクター。
【請求項２】
前記遮光部を前記遮蔽領域が次第に大きくなるように回動させる際、前記光源から射出される光束の中心軸を含み前記回動軸に平行な基準面と前記第１の領域との最大距離と、前記基準面と前記第２の領域との最大距離との差は、次第に小さくなる、請求項１に記載のプロジェクター。
【請求項３】
前記遮光部は、前記先端側端部を備える先端部分と、前記先端部分に連続する本体部分とを備え、
前記先端部分は前記本体部分から曲折した部分であり、
前記先端部分は、前記第２の領域として切欠きを有する、請求項１及び請求項２のいずれか一項に記載のプロジェクター。
【請求項４】
光源と、前記光源からの光束を部分的に遮蔽可能な遮光部と、前記遮光部を動作させる駆動機構とを有する照明光学系と、
前記照明光学系からの照明光によって照明される光変調装置と
を備え、
前記遮光部は、前記駆動機構に駆動されて所定の回動軸のまわりに回動することで遮蔽領域の大きさを変化させ、
前記遮光部は、前記回動時の前記遮蔽領域と非遮蔽領域との境界部に対応する先端側端部を有し、
前記先端側端部は、第１の領域と、前記遮光部の回動時に前記第１の領域より光源側に位置する第２の領域とを備え、
前記遮光部は、開状態側に窪んだ窪み部分を有し、当該窪み部分の縁として前記第２の領域を有する、プロジェクター。
【請求項５】
前記遮光部は、前記窪み部分を挟んだ両側に設けられ前記窪み部分から離れる方向に延びる平面部分を有し、当該平面部分の縁として前記第１の領域を有する、請求項４に記載のプロジェクター。
【請求項６】
前記遮光部を前記遮蔽領域が次第に大きくなるように回動させる際、前記光源から射出される光束の中心軸を含み前記回動軸に平行な基準面と前記第１の領域との最大距離と、前記基準面と前記第２の領域との最大距離との差は、次第に小さくなる、請求項４及び請求項５のいずれか一項に記載のプロジェクター。
【請求項７】
前記遮光部が最大遮蔽状態に位置する場合、前記先端側端部の前記光束の中心軸方向から見た形状は、直線状である、請求項４から請求項６までのいずれか一項に記載のプロジェクター。
【請求項８】
前記遮光部は、連続した単一部材で形成される、請求項１から請求項７までのいずれか一項に記載のプロジェクター。
【請求項９】
前記遮光部は、一枚の板状の部材をプレス加工して形成される、請求項１から請求項８までのいずれか一項に記載のプロジェクター。
【請求項１０】
前記遮光部は、前記光束の中心軸を含み前記回動軸に平行な基準面を挟んで一対のものとして対称に配置され、
前記駆動機構は、一対の前記遮光部を同期して駆動する、請求項１から請求項９までのいずれか一項に記載のプロジェクター。
【請求項１１】
前記照明光学系は、光源からの光束を均一化するための一対のレンズアレイを有し、
前記遮光部は、前記一対のレンズアレイ間に配置される、請求項１から請求項１０までのいずれか一項に記載のプロジェクター。
【請求項１２】
光源と、前記光源からの光束を部分的に遮蔽可能な遮光部と、前記遮光部を動作させる駆動機構とを有する照明光学系と、
前記照明光学系からの照明光によって照明される光変調装置と
を備え、
前記遮光部は、前記駆動機構に駆動されて所定の回動軸のまわりに回動することで遮蔽領域の大きさを変化させ、
前記遮光部が最大遮蔽状態に位置する場合、前記遮光部の先端側端部の形状は、前記光束の中心軸方向から見ると直線状であり、前記光束の中心軸方向に凹凸を有する形状である、プロジェクター。
【請求項１３】
光源と、前記光源からの光束を部分的に遮蔽可能な遮光部と、前記遮光部を動作させる駆動機構とを有する照明光学系と、
前記照明光学系からの照明光によって照明される光変調装置と
を備え、
前記遮光部は、前記駆動機構に駆動されて所定の第１の回動軸のまわりに回動する第１の遮光部と、前記第１の回動軸とは別の第２の回動軸のまわりに回動する第２の遮光部とを有し、
前記第１の遮光部は、前記回動時の遮蔽領域と非遮蔽領域との境界部として、第１の部分と第２の部分とを含む第１の先端側端部を有し、
前記第２の遮光部は、前記回動時の遮蔽領域と非遮蔽領域との境界部として、前記第１の部分に対向する第３の部分と前記第２の部分に対向する第４の部分とを含む第２の先端側端部を有し、
前記照明光束の中心軸方向に沿って前記第１の先端側端部の形状と前記第２の先端側端部の形状とを投影した場合、投影された前記第１の部分と前記第３の部分との第１距離は、前記第２の部分と前記第４の部分との第２距離より短く、
前記第１の遮光部と前記第２の遮光部の回動に伴って、前記第１距離と前記第２距離との差が変化し、
前記遮光部が最大遮蔽状態に位置する場合、前記第１距離と前記第２距離とが略同一となる、プロジェクター。
【発明の詳細な説明】
【技術分野】
【０００１】
本発明は、照明光学系内に光の遮断量を調整するための遮光部を有するプロジェクターに関する。
【背景技術】
【０００２】
照明装置の調整のために遮光部材を用いたプロジェクターとして、例えば回動によって開閉可能な一対の遮光部材を、照明装置内の一対のレンズアレイ間に照明光軸を挟んで対称に配置して、照明光の遮光量の調節を行うものが知られている（例えば、特許文献１，２参照）。また、このような遮光部材としてブロック状の遮光体を用い、当該遮光体に切り欠いたような窪みを設けて遮光量の変化を調節するものも知られている（特許文献３参照）。
【先行技術文献】
【特許文献】
【０００３】
【特許文献１】特開２００７−７１９１３号公報
【特許文献２】特開２００４−６９９６６号公報
【特許文献３】特開２００５−１７５０１号公報
【発明の概要】
【発明が解決しようとする課題】
【０００４】
しかしながら、例えば特許文献１，２のように、板状の遮光部材（遮光板）を開閉動作させることにより遮光を行う場合、遮光量の変化がなだらかなものとならない可能性がある。また、例えば特許文献３のように、切欠き状の窪みを有するブロック状の遮光体を遮光部材として用いる場合、遮光量の変化を所望のものとするために当該遮光体に複雑な曲面を形成させなければならない可能性があり、当該遮光体の占有空間が大きくなる可能性もある。
【０００５】
そこで、本発明は、簡易で省スペースな構造によって、遮光量の変化を比較的なだらかなものにしつつ、最大遮蔽状態において照明光量を十分に下げることのできるプロジェクターを提供することを目的とする。
【課題を解決するための手段】
【０００６】
上記課題を解決するため、本発明に係る第１のプロジェクターは、（ａ１）光源と、（ａ２）光源からの光束を部分的に遮蔽可能な遮光部と、（ａ３）遮光部を動作させる駆動機構とを有する（ａ）照明光学系と、（ｂ）照明光学系からの照明光によって照明される光変調装置とを備え、（ｃ）遮光部が、駆動機構に駆動されて所定の回動軸のまわりに回動することで遮蔽領域の大きさを変化させ、（ｄ）遮光部が、回動時の遮蔽領域と非遮蔽領域との境界部に対応する先端側端部を有し、（ｅ）先端側端部が、第１の領域と、遮光部の回動時に第１の領域より光源側に位置する第２の領域とを備え、（ｆ）第１の領域が、先端側端部において、複数個所に分離しており、（ｇ）第２の領域が、第１の領域の間に位置する。なお、先端側端部が第１及び第２の領域を有するのは、照明光の光路の有効範囲内においてであり、照明光の光路の有効範囲外における当該領域の有無を問題としていない。
【０００７】
上記プロジェクターでは、遮光部の先端側端部において、第１の領域の間に位置する第２の領域が遮光部の回動時に第１の領域より光源側に位置することにより、先端側端部の光入射側から見た輪郭即ち開口の縁形状を、遮光部の回動とともに変化させることができる。先端側端部での第１の領域と第２の領域との位置関係を適宜調整することにより、開閉動作に伴う遮光量の変化を比較的なだらかなものにし、かつ、最大遮蔽状態において照明光量を十分に下げることができる。なお、例えば、第２の領域が、先端側端部のうちシステム光軸に相対的に近い中央側に配置され、第１の領域が、先端側端部のうちシステム光軸から相対的に遠い周辺側に配置されるものとすることできる。この場合、光量が比較的多い光束中心側について遮光量の変化を調整することができる。
【０００８】
また、本発明の具体的な態様又は側面によれば、遮光部を遮蔽領域が次第に大きくなるように回動させる際、光源から射出される光束の中心軸を含み回動軸に平行な基準面と第１の領域との最大距離と、基準面と第２の領域との最大距離との差が、次第に小さくなる。この場合、遮蔽領域が小さいときに領域間のずれが増大し、遮蔽領域が大きいときに領域間のずれが減少するので、遮光量に応じた遮光部即ち開口の縁形状を実現することができる。
【０００９】
また、本発明の別の態様によれば、遮光部が最大遮蔽状態に位置する場合、先端側端部の光束の中心軸方向から見た形状が、直線状である。この場合、最大遮蔽状態における遮光量を平板状の遮蔽部材の場合と同様十分に大きくすることができる。
【００１０】
また、本発明の別の態様によれば、遮光部が、開状態側に窪んだ窪み部分を有し、当該窪み部分の縁として第２の領域を有する。この場合、遮光部を開放するのに伴って、窪み部分において優先的に光を通過させる領域を形成できる。
【００１１】
また、本発明の別の態様によれば、遮光部が、窪み部分を挟んだ両側に設けられ窪み部分から離れる方向に延びる平面部分を有し、当該平面部分の縁として第１の領域を有する。この場合、遮光に変化を与える窪み部分と標準的な遮光をする平面部分との差を利用して、回動動作に伴う遮光量の調整をすることができる。
【００１２】
また、本発明の別の態様によれば、（ａ）遮光部が、先端側端部を備える先端部分と、先端部分に連続する本体部分とを備え、（ｂ）先端部分が本体部分から曲折した部分であり、（ｃ）先端部分が、第２の領域として切欠きを有する。この場合、本体部分から曲折した先端部分に切欠きが設けられていることで、切欠きの光入射側から見た輪郭が遮光部の回動に伴って変化し、切欠きにおいて優先的に光を通過させる領域を形成できる。
【００１３】
また、本発明の別の態様によれば、遮光部が、連続した単一部材で形成される。この場合、遮光部は簡単な構造となり比較的省スペースで組み込みやすくなる。なお、ここで、単一部材は、一様な厚みを有するものとでき、一様な厚みとは、完全に一定の厚さを保っているものだけではなく、多少の差はあっても略均等な状態であるものも含む。
【００１４】
また、本発明の別の態様によれば、遮光部が、一枚の板状の部材をプレス加工して形成される。この場合、遮光部を比較的簡易に作製することができ、また、プロジェクターの部品点数を抑えることができる。
【００１５】
また、本発明の別の態様によれば、（ａ）遮光部が、光束の中心軸を含み回動軸に平行な基準面を挟んで一対のものとして対称に配置され、（ｂ）駆動機構が、一対の遮光部を同期して駆動する。この場合、システム光軸についての対称性を保った状態で光の遮蔽量の増減を行うことができる。
【００１６】
また、本発明の別の態様によれば、（ａ）照明光学系が、光源からの光束を均一化するための一対のレンズアレイを有し、（ｂ）遮光部が、一対のレンズアレイ間に配置される。この場合、回動する遮光部の空間を確保でき、かつ、遮光部による光量調節が照明の均一性へ影響することを抑えることができる。
【００１７】
上記課題を解決するため、本発明に係る第２のプロジェクターは、（ａ１）光源と、（ａ２）光源からの光束を部分的に遮蔽可能な遮光部と、（ａ３）遮光部を動作させる駆動機構とを有する（ａ）照明光学系と、（ｂ）照明光学系からの照明光によって照明される光変調装置とを備え、（ｃ）遮光部が、駆動機構に駆動されて所定の回動軸のまわりに回動することで遮蔽領域の大きさを変化させ、（ｄ）遮光部が最大遮蔽状態に位置する場合、遮光部のシステム光軸側の先端側端部の形状が、システム光軸方向に凹凸を有する形状である。なお、先端側端部が凹凸を有するのは、照明光の光路の有効範囲内においてであり、照明光の光路の有効範囲外における凹凸の有無を問題としていない。
【００１８】
上記プロジェクターでは、遮光部の先端側端部が、最大限に照明光の遮蔽を行う最大遮蔽状態において、システム光軸方向に関して凹凸を有する状態で線状に延びている。このため、光入射側即ちシステム光軸方向から見た遮光部の先端側端部の輪郭は、凹凸の状態（例えば凹凸の範囲及び深さ）に対応して遮光部の回動とともに変化する。この先端側端部の凹凸状態を適宜調整することにより、開閉動作に伴う遮光量の変化をなだらかなものにし、かつ、最大遮蔽状態において照明光量を十分に下げることができる。
【００１９】
上記課題を解決するため、本発明に係る第３のプロジェクターは、（ａ１）光源と、（ａ２）光源からの光束を部分的に遮蔽可能な遮光部と、（ａ３）遮光部を動作させる駆動機構とを有する（ａ）照明光学系と、（ｂ）照明光学系からの照明光によって照明される光変調装置とを備え、（ｃ）遮光部が、駆動機構に駆動されて所定の第１の回動軸のまわりに回動する第１の遮光部と、第１の回動軸とは別の第２の回動軸のまわりに回動する第２の遮光部とを有し、（ｄ）第１の遮光部が、回動時の遮蔽領域と非遮蔽領域との境界部として、第１の部分と第２の部分とを含む第１の先端側端部を有し、（ｅ）第２の遮光部が、回動時の遮蔽領域と非遮蔽領域との境界部として、第１の部分に対向する第３の部分と第２の部分に対向する第４の部分とを含む第２の先端側端部を有し、（ｆ）照明光束の中心軸方向に沿って第１の先端側端部の形状と第２の先端側端部の形状とを投影した場合、投影された第１の部分と第３の部分との第１距離が、第２の部分と第４の部分との第２距離より短く、（ｇ）第１の遮光部と第２の遮光部の回動に伴って、第１距離と第２距離との差が変化する。なお、第１の先端側端部が第１の部分と第２の部分とを有し、第２の先端側端部が第３の部分と第４の部分とを有するのは、照明光の光路の有効範囲内においてである。
【００２０】
上記プロジェクターでは、第１の部分と第３の部分との第１距離と、第２の部分と第４の部分との第２距離との差が第１の遮光部と第２の遮光部の回動に伴って変化する。この際、第１及び第２の遮光部の各部の配置関係等を利用して、第１距離と第２距離との差の変化の度合いを適宜調整することにより、開閉動作に伴う遮光量の変化を比較的なだらかなものにし、かつ、最大遮蔽状態において照明光量を十分に下げることができる。
【図面の簡単な説明】
【００２１】
【図１】第１実施形態に係るプロジェクターを概念的に示す平面図である。
【図２】調光装置の構造を示す一方向からの斜視図である。
【図３】調光装置の構造を示す他方向からの斜視図である。
【図４】遮光部材の構造を示す模式的な斜視図である。
【図５】プロジェクター内における遮光部材の開閉動作を示す図である。
【図６】（Ａ）〜（Ｃ）は、調光装置の開閉動作時における遮光部材の状態を示す図である。
【図７】遮光部材による遮光量の変化について説明するための図である。
【図８】第２実施形態に係るプロジェクターの遮光部材の構造を示す模式的な斜視図である。
【図９】第３実施形態に係るプロジェクターの遮光部材の構造を示す模式的な斜視図である。
【図１０】第４実施形態に係るプロジェクターの遮光部の構造を示す模式的な斜視図である。
【図１１】（Ａ）〜（Ｃ）は、遮光部の開閉動作時の状態を示す図である。
【発明を実施するための形態】
【００２２】
〔第１実施形態〕
以下、図１等を参照して、本発明の第１実施形態に係るプロジェクターについて説明する。
【００２３】
〔１．プロジェクターの構造の概要〕
図１に示すように、本実施形態に係るプロジェクター１００は、照明装置１０、色分離導光光学系４０、光変調部５０、クロスダイクロイックプリズム６０及び投射光学系７０を備え、これらのうち、照明装置１０は、光源ランプユニット２０、均一化光学系３０及び調光装置８０を含む照明光学系である。
【００２４】
プロジェクター１００を構成する光学ユニット、即ち照明装置１０、色分離導光光学系４０、光変調部５０、クロスダイクロイックプリズム６０及び投射光学系７０は、遮光性を有するライトガイドであるケース部材１１中に略全体が収納されている。また、これらの光学ユニット又はその構成要素は、ケース部材１１の内面等に設けられた保持部（不図示）にアライメントされた状態で組付けられている。
【００２５】
照明装置１０のうち、光源ランプユニット２０は、光源として、ランプ部２１ａと、凹レンズ２１ｂとを備える。このうち、ランプ部２１ａは、例えば高圧水銀ランプ等である発光管２２ａと、発光管２２ａから射出された光束を反射して前方に射出させる楕円面型の凹面鏡２２ｂとを備える。凹レンズ２１ｂは、ランプ部２１ａからの光束をシステム光軸ＳＡ即ち照明光軸に略平行な光束にする役割を有するが、例えば凹面鏡２２ｂが放物面鏡である場合には、省略することもできる。システム光軸ＳＡは、光学ユニット内の光路の概ね中心を通る軸である。
【００２６】
均一化光学系３０は、第１及び第２レンズアレイ３１，３２と、偏光変換部材３４と、重畳レンズ３５とを備える。第１及び第２レンズアレイ３１，３２は、例えばそれぞれＸ方向及びＹ方向に関してマトリクス状に配置された複数の要素レンズからなるフライアイレンズである。このうち、第１レンズアレイ３１を構成する要素レンズによって、光源ランプユニット２０から射出された光束が複数の部分光束に分割される。また、第２レンズアレイ３２を構成する要素レンズによって、第１レンズアレイ３１からの各部分光束は適当な発散角で射出される。偏光変換部材３４は、ＰＢＳのプリズムアレイ等で構成され、レンズアレイ３２から射出された光束を特定方向の直線偏光のみに変換して次段光学系に供給する。重畳レンズ３５は、第２レンズアレイ３２から射出され偏光変換部材３４を経た照明光を全体として適宜収束させることにより、光変調部５０に設けた各色の液晶ライトバルブ５０ａ，５０ｂ，５０ｃに対する重畳照明を可能にする。
【００２７】
調光装置８０は、例えば第１レンズアレイ３１と第２レンズアレイ３２との間に配設され、一対の遮光部材９１ａ，９１ｂ（図２等参照）が観音開き状にＹ方向に関して開閉することで照明装置１０から射出される照明光の光量を調整する。なお、調光装置８０の具体的な構成については、図２等を用いて後述する。
【００２８】
色分離導光光学系４０は、第１及び第２ダイクロイックミラー４１ａ，４１ｂと、反射ミラー４２ａ，４２ｂ，４２ｃと、３つのフィールドレンズ４３ａ，４３ｂ，４３ｃとを備え、光源ランプユニット２０から射出された照明光を赤（Ｒ）色、緑（Ｇ）色、及び青（Ｂ）色の３色に分離するとともに、各色光を後段の液晶ライトバルブ５０ａ，５０ｂ，５０ｃへ導く。より詳しく説明すると、まず、第１ダイクロイックミラー４１ａは、ＲＧＢの３色のうちＲ色の照明光ＬＲを反射しＧ色及びＢ色の照明光ＬＧ，ＬＢを透過させる。また、第２ダイクロイックミラー４１ｂは、ＧＢの２色のうちＧ色の照明光ＬＧを反射しＢ色の照明光ＬＢを透過させる。つまり、第１ダイクロイックミラー４１ａで反射された赤色光ＬＲは、フィールドレンズ４３ａのある第１光路ＯＰ１に導かれ、第１ダイクロイックミラー４１ａを透過して第２ダイクロイックミラー４１ｂで反射された緑色光ＬＧは、フィールドレンズ４３ｂのある第２光路ＯＰ２に導かれ、第２ダイクロイックミラー４１ｂを通過した青色光ＬＢは、フィールドレンズ４３ｃのある第３光路ＯＰ３に導かれる。各色用のフィールドレンズ４３ａ，４３ｂ，４３ｃは、第２レンズアレイ３２から射出され重畳レンズ３５を通過して光変調部５０に入射する各部分光束が、各液晶ライトバルブ５０ａ，５０ｂ，５０ｃの被照射領域上において、システム光軸ＳＡに対して適当な収束度又は発散度となるように入射角を調節している。一対のリレーレンズ４４ａ，４４ｂは、第１光路ＯＰ１や第２光路ＯＰ２よりも相対的に長い第３光路ＯＰ３上に配置され、入射側の第１のリレーレンズ４４ａの直前に形成された像を、ほぼそのまま射出側のフィールドレンズ４３ｃに伝達することにより、光の拡散等による光の利用効率の低下を防止している。
【００２９】
光変調部５０は、３色の照明光ＬＲ，ＬＧ，ＬＢがそれぞれ入射する３つの液晶ライトバルブ５０ａ，５０ｂ，５０ｃを備える。各液晶ライトバルブ５０ａ，５０ｂ，５０ｃは、中央に配置される液晶パネル５１ａ，５１ｂ，５１ｃと、これを挟むように光路上流側に配置される入射側偏光フィルター５２ａ，５２ｂ，５２ｃと、光路下流側に配置される射出側偏光フィルター５３ａ，５３ｂ，５３ｃとをそれぞれ備えている。各液晶ライトバルブ５０ａ，５０ｂ，５０ｃにそれぞれ入射した各色光ＬＲ，ＬＧ，ＬＢは、各液晶ライトバルブ５０ａ，５０ｂ，５０ｃに電気的信号として入力された駆動信号或いは制御信号に応じて、画素単位で強度変調される。
【００３０】
クロスダイクロイックプリズム６０は、カラー画像を合成するための光合成光学系であり、その内部には、Ｒ光反射用の第１ダイクロイック膜６１と、Ｂ光反射用の第２ダイクロイック膜６２とが、平面視Ｘ字状に配置されている。このクロスダイクロイックプリズム６０は、液晶ライトバルブ５０ａからの赤色光ＬＲを第１ダイクロイック膜６１で反射して進行方向右側に射出させ、液晶ライトバルブ５０ｂからの緑色光ＬＧを両ダイクロイック膜６１，６２を介して直進・射出させ、液晶ライトバルブ５０ｃからの青色光ＬＢを第２ダイクロイック膜６２で反射して進行方向左側に射出させる。
【００３１】
投射光学系７０は、投射レンズとして、クロスダイクロイックプリズム６０で合成された画像光をスクリーン（不図示）上にカラー画像として投射する。
【００３２】
以上の構成を有するプロジェクター１００において、照明装置１０は、調光装置８０を内蔵することにより、光を部分的に遮蔽して照明光量の調節を行う。つまり、プロジェクター１００は、調光装置８０の開閉動作により照明光量を変化させることができ、例えば表示場面に応じて照明光量を調整することによって、高いダイナミックコントラストを得ることができる。また、このプロジェクター１００は、後に詳述するように減光カーブのなだらかな調光装置８０を用いており、応答の良好な調光によって高品位の画像を形成することが可能となっている。
【００３３】
〔２．調光装置の構造等の説明〕
図２及び３は、調光装置８０の構造を説明する斜視図であり、図２は、調光装置８０を光路上流側から見た状態を示し、図３は、調光装置８０を光路下流側から見た状態を示している。調光装置８０は、固定部材８１と、一対の遮光部８２ａ，８２ｂと、駆動機構８５とを備える。ここで、第１の遮光部８２ａは、システム光軸ＳＡよりも＋Ｙ側に配置され、第２の遮光部８２ｂは、システム光軸ＳＡよりも−Ｙ側に配置されている。なお、図２及び３のいずれも、調光装置８０が両遮光部８２ａ，８２ｂを全閉することによって最大限に照明光の遮蔽を行っている状態（最大遮蔽状態）を示している。上記遮光部８２ａ，８２ｂ等は、固定部材８１に支持又は固定されており、固定部材８１は、ライトガイドであるケース部材１１（図１参照）に組付けられている。
【００３４】
第１及び第２の遮光部８２ａ，８２ｂは、それぞれ一体的に形成される第１及び第２の開閉部材９８ａ，９８ｂと、これら開閉部材９８ａ，９８ｂを固定部材８１に取り付けるための第１及び第２の取付部９９ａ，９９ｂとをそれぞれ有する。
【００３５】
第１の開閉部材９８ａは、図２等において上半分（システム光軸ＳＡよりも＋Ｙ側）に配置され、第１の遮光部材９１ａと、一対の支持部材９４ａ，９５ａとを有する。第１の遮光部材９１ａは、立体的に加工された矩形の板状部材であり、調光装置８０を通過する照明光の光路の有効範囲内に進入したり有効範囲外に退避したりする開閉動作を行う。支持部材９４ａ，９５ａは、第１の遮光部材９１ａの±Ｘ方向に関する両端の根元側から延びて、第１の遮光部材９１ａをＸ方向に延びる第１の回動軸である中心軸ＡＸ１のまわりに回動可能に支持するために利用される。
【００３６】
第１の開閉部材９８ａに付随する第１の取付部９９ａは、支持部材９４ａ側に固定されて駆動機構８５からの作用を受ける駆動ギア８６ａと、両支持部材９４ａ，９５ａをそれぞれ枢支するためのピン状の回転支持軸８３ａ，８４ａとを有する。
【００３７】
第２の開閉部材９８ｂは、図２等において下半分（システム光軸ＳＡよりも−Ｙ側）に配置され、第２の遮光部材９１ｂと、一対の支持部材９４ｂ，９５ｂとを有する。第２の遮光部材９１ｂは、立体的に加工された矩形の板状部材であり、調光装置８０を通過する照明光の光路の有効範囲内に進入したり有効範囲外に退避したりする開閉動作を行う。支持部材９４ｂ，９５ｂは、第２の遮光部材９１ｂの±Ｘ方向に関する両端の根元側からそれぞれ延びて、第２の遮光部材９１ｂをＸ方向に延びる第２の回動軸である中心軸ＡＸ２のまわりに回動可能に支持するために利用される。
【００３８】
第２の開閉部材９８ｂに付随する第２の取付部９９ｂは、支持部材９４ｂ側に固定されて駆動機構８５からの作用を受ける駆動ギア８６ｂと、両支持部材９４ｂ，９５ｂをそれぞれ枢支するためのピン状の回転支持軸８３ｂ，８４ｂとを有する。なお、取付部９９ａの駆動ギア８６ａと取付部９９ｂの駆動ギア８６ｂとは、噛合しており、同期して互いに逆方向に回転動作する。
【００３９】
一対の遮光部８２ａ，８２ｂの−Ｘ側に延びる支持部材９４ａ，９４ｂは、回転支持軸８３ａ，８３ｂを介して固定部材８１の−Ｘ側の側壁８１ａに設けた軸受部８７ａ，８７ｂに回転可能な状態でそれぞれ支持されている。また、一対の遮光部８２ａ，８２ｂの＋Ｘ側に延びる支持部材９５ａ，９５ｂは、回転支持軸８４ａ，８４ｂを介して固定部材８１の＋Ｘ側の側壁８１ｂに設けた軸受部８７ａ，８７ｂに回転可能な状態でそれぞれ支持されている。以上により、一対の遮光部８２ａ，８２ｂは、固定部材８１に支持された状態で駆動機構８５に駆動されて同期して開閉動作し、照明光を適宜遮蔽して照明装置１０から出射される照明光量を調節可能となっている。
【００４０】
図４は、一対の遮光部８２ａ，８２ｂの構成要素のうち、遮光量の調整に直接的に関与する主要部である一対の遮光部材９１ａ，９１ｂについて模式的に示している。図４の場合、ある程度開状態となった遮光量が中間の段階の遮光部材９１ａ，９１ｂが示されている。第１及び第２の遮光部材９１ａ，９１ｂは、いずれも平板状の部材に立体的な凹凸加工を施したものである。具体的には、第１の遮光部材９１ａは、中央側即ちシステム光軸ＳＡにより近い側に配置される窪み部分９２ａと、窪み部分９２ａの両側に分離して設けられシステム光軸ＳＡからより離れる、即ち窪み部分９２ａから離れる±Ｘ方向に延びる一対の平面部分９３ａ，９３ａとで構成されている。つまり、第１の遮光部材９１ａは、窪み部分９２ａにより光束中心側の遮光量の調整を行い、平面部分９３ａ，９３ａにより光束周辺側の遮光量の調整を行っている。同様に、第２の遮光部材９１ｂは、窪み部分９２ｂと、一対の平面部分９３ｂ，９３ｂとで構成されている。また、例えば図５に模式的に示すように、一対の遮光部材９１ａ，９１ｂは、最大遮蔽状態において、システム光軸ＳＡに垂直なＸＹ面に全体として略平行に延びている。調光装置８０は、遮光部８２ａ，８２ｂの遮光部材９１ａ，９１ｂを、システム光軸ＳＡを挟んで照明光束の半幅程度それぞれ離れてＸ方向に延びる一対の回動軸である中心軸ＡＸ１，ＡＸ２のまわりにそれぞれ回動させ、両遮光部材９１ａ，９１ｂ間の隙間を増減させることによって、システム光軸ＳＡに垂直な±Ｙ方向を開閉方向として光路の開閉動作を行う。なお、開閉方向±Ｙは、一対のレンズアレイ３１，３２を構成するレンズ要素の配列方向Ｘ，Ｙの一方と平行になっている。
【００４１】
図２及び３に戻って、第１及び第２の遮光部８２ａ，８２ｂを構成する第１及び第２の開閉部材９８ａ，９８ｂのうち、例えば第１の開閉部材９８ａは、第１の遮光部材９１ａを含んで単一部材（例えばステンレス、アルミニウム等）で形成されている。第１の開閉部材９８ａは、単一部材をプレス加工することにより連続した一様な厚みとなっており、窪み部分９２ａと、平面部分９３ａ，９３ａと、支持部材９４ａ，９５ａとを一体化した状態で形成される。当該プレス加工により、窪み部分９２ａは、最大遮蔽状態においてＹ方向に延びかつ−Ｚ方向に凸となる半円筒形状の曲面を有している。つまり、窪み部分９２ａは、遮光部材９１ａを閉状態から開状態にする回動方向に窪んだ（即ち開状態側に窪んだ）曲面形状となっている。これに対して、窪み部分９２ａの周辺に配置される平面部分９３ａ，９３ａは、Ｘ及びＹ方向について平坦な平面形状となっている。
【００４２】
第１の遮光部材９１ａは、以上のようにして形成されるため、第１の遮光部材９１ａが最大遮蔽状態に位置する場合、システム光軸ＳＡ側先端のエッジである第１の先端側端部ＥＧは、最大遮蔽状態においてシステム光軸ＳＡの方向に関して凹凸を有する形状となっている。言い換えると、図４に示すように、遮光部材９１ａの先端側端部ＥＧは、円弧状である窪み部分９２ａの先端ＨＳである第２の領域と直線状である平面部分９３ａの先端ＴＳである第１の領域とにより形成されており、先端ＨＳと先端ＴＳとは、第１の遮光部材９１ａが最大遮蔽状態に位置する場合、システム光軸ＳＡの方向に凹凸を有する線ＬＡに沿った形状となっている。先端側端部ＥＧは、回動動作時において、照明光の遮蔽領域ＳＳと非遮蔽領域ＮＳとの境界部に対応するものとなっている（図６（Ａ）参照）。また、第１の遮光部材９１ａが最大遮蔽状態に位置する場合、先端側端部ＥＧのシステム光軸ＳＡに沿った方向から見た輪郭形状（図６（Ｂ）参照）は、平坦即ち直線状である。なお、先端側端部ＥＧは、第１の遮光部８２ａの端部（エッジ部分）のうち遮光部材９１ａのエッジ部分であり、開閉動作において照明光の光路の有効範囲内を通過しうるものである。従って、例えば遮光部材９１ａに隣接する支持部材９４ａ，９５ａのエッジ部分は常に照明光の光路の有効範囲外にあり、第１の遮光部８２ａのエッジ部分であっても開閉動作において照明光量の調整に影響せず、先端側端部ＥＧには含まれない。
【００４３】
一方、図２等に示すように、調光装置８０を構成するもう一方の遮光部である第２の遮光部８２ｂも、対称性により、上述した第１の遮光部８２ａと同様の構成を有している。つまり、第２の開閉部材９８ｂはプレス加工によって形成される単一部材であり、第２の遮光部材９１ｂは、第１の遮光部材９１ａと同様に、中央側に形成される窪み部分９２ｂと窪み部分９２ｂを挟んで配置される平面部分９３ｂ，９３ｂとを有し、円弧状の先端ＨＳである第２の領域とこれを挟む直線状の先端ＴＳである第１の領域とを含む第２の先端側端部ＥＧを有する構造となっている。
【００４４】
また、調光装置８０において、駆動機構８５は、動力を第１及び第２の遮光部８２ａ，８２ｂに付与するためのモーター８５ａと、伝達部８５ｂとを備える。第１及び第２の遮光部８２ａ，８２ｂに設けた遮光部材９１ａ，９１ｂは、伝達部８５ｂから、一対の駆動ギア８６ａ，８６ｂを介して駆動機構８５の作用を受けて回転可能となっている。
【００４５】
以下、図３等を参照して、調光装置８０の動作について説明をする。駆動機構８５のモーター８５ａの回転は、伝達部８５ｂを介して一対の遮光部８２ａ，８２ｂに設けた一対の駆動ギア８６ａ，８６ｂに伝達される。この際、上側の駆動ギア８６ａと下側の駆動ギア８６ｂとが同期して反対方向に回転する。一対の駆動ギア８６ａ，８６ｂの回転に伴い回転支持軸８３ａ，８３ｂが同期して回転し、一対の遮光部材９１ａ，９１ｂも同期して回転する。これにより、駆動機構８５は、第１及び第２の遮光部材９１ａ，９１ｂを観音開き状に同期して開閉動作させることができる。この際、一対の遮光部材９１ａ，９１ｂは、モーター８５ａの正転又は逆転にともなってその状態を変える。
【００４６】
具体的には、例えば、図５において、図中実線で示すように、遮光部材９１ａ，９１ｂの中心軸ＡＸ１，ＡＸ２を中心とする回動動作により、遮光部材９１ａ，９１ｂが第２レンズアレイ３２に略平行となり、先端側端部ＥＧ，ＥＧがシステム光軸ＳＡに最も近接する最大遮蔽状態になったり、一点鎖線で示すように、遮光部材９１ａ，９１ｂが第２レンズアレイ３２に略平行な全閉時に比べて回動角度β（略９０°）回転し、先端側端部ＥＧ，ＥＧが照明光の光路外（有効範囲外）に位置し照明光の遮蔽がない全開の状態になったりする。また、破線で示すように、中間の段階として、遮光部材９１ａ，９１ｂが第２レンズアレイ３２に略平行な全閉時に比べて回動角度α（０°＜α＜β）だけ回転し、先端側端部ＥＧ，ＥＧがシステム光軸ＳＡからある程度離れて一部の照明光の遮蔽を行う状態にもなる。
【００４７】
以上のように、第１及び第２の遮光部８２ａ，８２ｂは、Ｙ方向を開閉方向として、先端側端部ＥＧ，ＥＧにおいてシステム光軸ＳＡを挟んで互いに近接したり離間したりすることで、遮蔽する照明光の量を調節している。従って、いずれの状態での遮光においても、遮光量は、遮光部材９１ａ，９１ｂの回動角度αとその角度にあるときの先端側端部ＥＧ，ＥＧのシステム光軸ＳＡ方向から見た形状輪郭とによって決まる。なお、第１及び第２の遮光部８２ａ，８２ｂは、第１及び第２の開閉部材９８ａ，９８ｂのみで構成され、第１及び第２の取付部９９ａ，９９ｂは、別途組み付けられるものとしてもよい。この場合、第１及び第２の遮光部８２ａ，８２ｂは、単一部材で形成されるものとなる。
【００４８】
図６（Ａ）及び６（Ｂ）は、遮光部材９１ａ，９１ｂを第２レンズアレイ３２側即ち光路下流側からシステム光軸ＳＡに沿った方向から見た状態を示している。また、図６（Ｃ）は、６（Ｂ）のＡ−Ａ断面についての側断面図であり、図５における遮光部材９１ａ，９１ｂの図示の方向に対応している。
【００４９】
図６（Ａ）及び６（Ｂ）は、図５において破線及び実線で示す遮光部材９１ａ，９１ｂの状態にそれぞれ対応している。つまり、図６（Ａ）は、回動角度αだけ回転したときの遮光部材９１ａ，９１ｂを光路下流側から−Ｚ方向に正面視したものであり、図６（Ｂ）は、最大遮蔽状態での遮光部材９１ａ，９１ｂを光路下流側から−Ｚ方向に正面視したものである。なお、図６（Ａ）及び６（Ｂ）は、光路下流側から−Ｚ方向に即ち光射出側から見た状態であるが、光路上流側から＋Ｚ方向に即ち光入射側から見ても先端側端部ＥＧ，ＥＧの輪郭は同じ形状である。
【００５０】
回動角度αだけ回転した開状態にある図６（Ａ）の場合、窪み部分９２ａ，９２ｂが開状態にする回動方向に窪んでいることで、先端側端部ＥＧ，ＥＧのうち中心側にある先端ＨＳ，ＨＳの輪郭は、あたかも弓形状の切欠きであるかのように見える。これに対して、先端側端部ＥＧ，ＥＧのうち周辺側にある先端ＴＳ，ＴＳの輪郭は、開状態であっても直線状のままである。つまり、遮光部材９１ａ，９１ｂが全閉状態と全開状態との間の状態である回動角度αだけ回転した図６（Ａ）で示される非遮蔽領域ＮＳ即ち開口は、Ｘ方向に沿った直線状の輪郭とその間の中央に膨らみのある形状となっている。これに対して、遮光部材９１ａ，９１ｂが全閉状態の図６（Ｂ）で示される非遮蔽領域ＮＳは、Ｘ方向に沿った直線型のスリット状となっている。従って、図６（Ａ）の場合、システム光軸ＳＡに近い光束中心側においては先端ＨＳ，ＨＳによって切欠き状に見える領域からより多くの光が通過し、システム光軸ＳＡから遠い光束周辺側においては、先端ＴＳ，ＴＳによって直線状である領域から矩形の板状部材による通常の遮蔽と同様に光が遮蔽される状態となっている。つまり、先端側端部ＥＧ，ＥＧによる光の遮蔽は、矩形の板状部材による通常の遮蔽よりも、切欠き状に見える第２の領域の分遮光量が少ない状態となっている。一方、最大遮蔽状態である図６（Ｂ）の場合、窪み部分９２ａ，９２ｂの先端ＨＳ，ＨＳの輪郭は、平面部分９３ａ，９３ｂの先端ＴＳ，ＴＳの輪郭と同様直線状になっている。つまり、各窪み部分９２ａ，９２ｂにおいてそれぞれ先端ＨＳと先端ＴＳ，ＴＳとがＺ方向から見て一直線上に並んだ状態となっている。従って、この場合、先端側端部ＥＧ，ＥＧによる光の遮蔽は、矩形の板状部材による通常の遮蔽と同様の状態となっている。
【００５１】
さらに、上述のような図６（Ａ）の場合と図６（Ｂ）の場合とにおける光の通過する領域の差について、遮光部材９１ａ，９１ｂ間の開閉方向（Ｙ方向）についての距離を用いて説明する。まず、遮光部材９１ａ，９１ｂが全閉状態と全開状態との間の状態である回動角度αだけ回転した図６（Ａ）で示される状態の場合、第１の遮光部材９１ａにおいて、第１の先端側端部ＥＧのうち光束周辺側である先端ＴＳを含む第１の部分Ｑ１と、第１の部分Ｑ１に対向する第２の遮光部材９１ｂの先端ＴＳを含む第３の部分Ｑ３との間隔即ち開口の幅のうちＹ方向に沿った最大である距離を第１距離ＤＸとする。一方、第１の先端側端部ＥＧのうち光束中心側である先端ＨＳを含む第２の部分Ｑ２と、第２の部分Ｑ２に対向する位置にある第２の遮光部材９１ｂの先端ＨＳを含む第４の部分Ｑ４との間隔即ち開口の幅のうちＹ方向に沿った最大である距離（即ち頂点ＰＫ，ＰＫ間の距離）を第２距離ＰＸとする。この場合、第１距離ＤＸは第２距離ＰＸより短くなっている。第１距離ＤＸは、Ｙ方向についての窪み部分９２ａ，９２ｂの深さ分第２距離ＰＸよりも短くなっている。つまり、第２距離ＰＸと第１距離ＤＸとでは、平面部分９３ａの先端ＴＳの延長線から窪み部分９２ａの頂点ＰＫまでの距離ＧＸと、同じく平面部分９３ｂの先端ＴＳから窪み部分９２ｂの頂点ＰＫまでの距離ＧＸとの分、即ち距離ＧＸ２つ分だけ差がある。これに対して、遮光部材９１ａ，９１ｂが全閉状態の図６（Ｂ）で示される状態の場合、頂点ＰＫ，ＰＫは先端ＴＳの延長線上にあり、第２距離ＰＸと第１距離ＤＸとは等しくなっている。なお、以上について、システム光軸ＳＡを含み中心軸ＡＸ１，ＡＸ２に平行な基準面ＳＦから規定すると、遮蔽領域ＳＳが次第に大きくなるように回動させる際に、基準面ＳＦと先端ＨＳの頂点ＰＫとの最大距離と、基準面ＳＦと先端ＴＳとの最大距離との差が、次第に小さくなっている。上記のような遮光部材９１ａ，９１ｂ間の開口の幅である第２距離ＰＸと第１距離ＤＸとの差として現れる遮光量の変化に影響を与える度合いは、窪み部分９２ａ，９２ｂの先端ＨＳ，ＨＳの形状によって定まる。本実施形態では、遮光部材９１ａ，９１ｂが窪み部分９２ａ，９２ｂを有することで、遮光量の変化を比較的なだらかなものにしつつ、最大遮蔽状態において照明光量を十分に下げることができるものとなっている。
【００５２】
なお、以上のように、遮光部材９１ａ，９１ｂにおいて、回動動作に伴って、窪み部分９２ａ，９２ｂの輪郭についてシステム光軸ＳＡの方向から見たＹ方向に関する窪み深さを変化させることにより遮蔽領域を変化させることは、逆に見れば、遮光部材９１ａ，９１ｂの姿勢によって後段の第２レンズアレイ３２に対する照明光投影領域の大きさや形状を変化させていることに等しい。つまり、遮光部材９１ａ，９１ｂは、上記照明光投影領域の形状を変化させて光の透過量を調整する調整部材であると考えることもできる。
【００５３】
〔３．調光装置による遮蔽領域の変化〕
図７は、調光装置８０の動作による遮光量（逆に見れば照明光の通過量）の変化についての詳細な説明をするための概念図である。なお、図７の一対の遮光部材９１ａ，９１ｂは、頂点ＰＫ，ＰＫを通る面（図６（Ａ）のＰ−Ｐ断面）で切断した状態で模式的に示されている。ここでは、図７に示すように、照明光ＳＬの最大領域を領域Ｄ０で表すものとする。また、遮蔽領域の変化についての説明の便宜のため、図中点線で示すように、照明光ＳＬをＹ方向について等しい間隔ＰＴで区切っている。
【００５４】
遮光部材９１ａ，９１ｂは、パターンＰＡ０〜ＰＡ４のように回動することで、照明光ＳＬの光束の遮蔽領域を変化させ、この結果、照明光ＳＬの調光がなされている。なお、パターンＰＡ０は、全開の状態即ち回動角度βがほぼ９０°の状態を示している。また、パターンＰＡ４は、全閉の状態即ち回動角度がほぼ０°の最大遮蔽状態を示している。また、パターンＰＡ１〜３は、回動角度α（０°＜α３＜α２＜α１＜９０°）による遮光状態の違いを段階的に示している。
【００５５】
パターンＰＡ０の場合、回動角度βの値が略９０度であり、遮光部材９１ａ，９１ｂは、照明光ＳＬを遮光しない。従って、この場合、照明光ＳＬの全ての成分が通過し、照明光として利用される。
【００５６】
パターンＰＡ１〜３の場合、回動角度αの値が回動角度α１から回動角度α３に変化し、これに応じて遮光部材９１ａ，９１ｂによる遮光量も変化する。具体的には、例えば図７のうち、パターンＰＡ２は、遮光部材９１ａ，９１ｂが中間段階の遮光状態にある即ち回動角度α２（α３＜α２＜α１）の状態にあるときを示している。この場合、光束周辺側にある平面部分９３ａ，９３ｂの先端ＴＳ，ＴＳ間の距離Ｄ２（図６（Ａ）の第１距離ＤＸに相当）は、間隔ＰＴの丁度３つ分となっている。これに対して、光束中心側である窪み部分９２ａ，９２ｂの先端ＨＳ，ＨＳ間の最大距離即ち頂点ＰＫ，ＰＫ間の距離Ｐ２（図６（Ａ）の第２距離ＰＸに相当）は、間隔ＰＴの丁度５つ分となっている。つまり、各遮光部材９１ａ，９１ｂにおける周辺側の先端ＴＳと中心側の頂点ＰＫとの距離Ｇ２（図６（Ａ）の距離ＧＸに相当）は、間隔ＰＴの丁度１つ分ずつとなっている。これに対して、遮光部材９１ａ，９１ｂがパターンＰＡ２の状態よりも開いたパターンＰＡ１の状態にあるとき、先端ＴＳ，ＴＳ間の距離Ｄ１及び頂点ＰＫ，ＰＫ間の距離Ｐ１は、いずれも距離Ｄ２，Ｐ２より大きくなっている。この際先端ＴＳと頂点ＰＫとの距離Ｇ１は、間隔ＰＴの１つ分より大きくなっている、即ち距離Ｇ１は距離Ｇ２よりも大きくなっている。これは、図６（Ａ）を用いて言い換えると、窪み部分９２ａの先端ＨＳによる弓形状の輪郭がより深い曲線なっていることに等しい。逆に、遮光部材９１ａ，９１ｂがパターンＰＡ２の状態よりも閉じたパターンＰＡ３の状態にあるとき、距離Ｄ３，Ｐ３は、いずれも距離Ｄ２，Ｐ２より小さくなっている。この場合、距離Ｇ３は、間隔ＰＴの１つ分より小さくなっている、即ち距離Ｇ３は距離Ｇ２よりも小さくなっている。これは、図６（Ａ）を用いて言い換えると、先端ＨＳによる弓形状の輪郭がより浅い曲線なっていることに等しい。この場合、回動動作の各段階において、弓形状の変化する輪郭を有することになる。
【００５７】
さらに、パターンＰＡ４の場合、システム光軸ＳＡに沿った方向から見た先端ＨＳの輪郭が直線状になり先端側端部ＥＧの輪郭全体が一直線状となる（図６（Ｂ）参照）。この場合、距離Ｄ４と距離Ｐ４とが等しい通常の遮蔽と同様の状態となる。
【００５８】
以上のように、窪み部分９２ａ，９２ｂの先端ＨＳ，ＨＳは、全開状態と最大遮蔽状態との間では先端側端部ＥＧにおいてあたかも切欠きであるように作用し、しかも遮光部材９１ａ，９１ｂの回動角度を大きくするほど当該切欠きが大きくなっていくかのようにふるまう。これにより、遮光部材９１ａ，９１ｂは、先端側端部ＥＧ，ＥＧが平坦な形状の板状部材による通常の遮蔽に比べて、回動角度αを大きくするに従って、システム光軸ＳＡ側即ち光束中心側の遮光量をより減少させる（即ち通過光量をより増加させる）。一方、遮光部材９１ａ，９１ｂは、回動角度αを小さくするに従って先端ＨＳ，ＨＳによる切欠きとしての作用を次第に弱め最大遮蔽状態では、先端側端部ＥＧ，ＥＧの輪郭が一直線状になる。これにより、遮光部材９１ａ，９１ｂは、先端側端部ＥＧ，ＥＧが平坦な形状の板状部材による通常の遮蔽と同様十分に遮蔽量の大きな遮光を行う。以上のように窪み部分９２ａ，９２ｂが回動角度に応じた度合いで遮光量の変化に影響を与えて遮光量の調整を可能とすることで、遮光部材９１ａ，９１ｂは、一部材で構成されそれを回動させるだけの簡易なものであり、レンズアレイ３１，３２近傍に配置されるにもかかわらず、遮光量の変化を比較的なだらかなものにし、かつ、最大遮蔽状態において照明光量を十分に下げることができるものとなる。また、このような遮光部材９１ａ，９１ｂによる調光装置８０を組み込んだプロジェクター１００は、高いダイナミックコントラストを得ることができ、応答の良好な調光によって高品位の画像を形成することが可能となる。
【００５９】
また、回動動作における先端側端部ＥＧ，ＥＧについては、以下のように捉えることもできる。まず、先端側端部ＥＧ，ＥＧのうち周辺側に分離して２箇所に配置されている先端ＴＳ，ＴＳを含む第１の領域は、図７等からも明らかなように、遮光部材９１ａ，９１ｂの中心軸ＡＸ１，ＡＸ２を回転軸として回動する。次に、先端側端部ＥＧ、ＥＧのうち中央側の先端ＨＳ，ＨＳを含む第２の領域は、第１の領域の間に位置し、遮光部材９１ａ，９１ｂの中心軸ＡＸ１，ＡＸ２を回転軸として、第１の領域である先端ＴＳ，ＴＳに対して常に光源ランプユニット２０（図１参照）側に位置して回動する。このように、本実施形態では、中央側の先端ＨＳ，ＨＳを含む第２の領域と周辺側の先端ＴＳ，ＴＳを含む第１の領域とで回動時において、角度或いは位置にずれがある。従って、図５に示すように、例えば遮光部材９１ａにおいて、第１の領域に含まれる先端ＴＳと中心軸ＡＸ１とを含む第１の仮想平面ＶＳ１と、第２の領域に含まれる先端ＨＳのうち頂点ＰＫと中心軸ＡＸ１とを含む第２の仮想平面ＶＳ２とは、中心軸ＡＸ１を交線として交差している。また、遮光部材９１ａにおいて、システム光軸ＳＡに垂直な面を基準面とした場合、第１の仮想平面ＶＳ１当該基準面とがなす角度は、第２の仮想平面ＶＳ２と当該基準面とがなす角度より常に小さい。ここで、中心軸ＡＸ１から先端ＨＳまでの距離と中心軸ＡＸ１から先端ＴＳまでの距離（又は中心軸ＡＸ２からそれぞれの先端ＨＳ，ＴＳまでの距離）は略等しく、かつ、先端ＨＳと先端ＴＳとの互いの相対的な位置関係も保たれたままである。そうであるにもかかわらず、開状態では先端ＨＳと先端ＴＳとでＹ方向について差が生じることで切欠き状の輪郭ができ、最大遮蔽状態ではＹ方向について差がなくなることで直線状の輪郭ができるものとなっている。そして、この際に、回動動作に伴ってあたかも遮蔽領域（或いは第２レンズアレイ３２に対する照明光投影領域）の輪郭が変化したかのような効果を得ることができる。
【００６０】
なお、例えば、仮に、遮光部材９１ａ，９１ｂが窪み部分９２ａ，９２ｂを有さない平板状であり、先端側端部ＥＧ，ＥＧの輪郭の形状が常に直線状であるとした場合、第１レンズアレイ３１による光源像がないところでは殆ど減光せず、光源像があるところを過ぎた途端に急激に減光するという状態となり、なだらかな減光が容易でない。一方、本実施形態では、窪み部分９２ａ，９２ｂの縁にある先端ＨＳ，ＨＳが変化する切欠き状即ち弓形状の輪郭を有するため、システム光軸ＳＡに近い中央側と遠い周辺側とで開口の幅が異なり、かつ、その差が変動するものとなる（図６（Ａ）における第１距離ＤＸ及び第２距離ＰＸ参照）。従って、直線状の輪郭を有する場合のような事態にならず、遮光部材９１ａ，９１ｂの回動動作による回動角度の大きさに応じてなだらかに減光させることができる。
【００６１】
〔第２実施形態〕
以下、図８を参照して、本発明の第２実施形態に係るプロジェクターについて説明する。なお、本実施形態に係るプロジェクターは、図１に示すプロジェクター１００の変形例であり、第１及び第２の遮光部１８２ａ，１８２ｂにおける第１及び第２の遮光部材１９１ａ，１９１ｂの形状を除いて同等であるので、図４に対応する部分のみ図示し、調光装置やプロジェクター全体の構造については説明及び図示を省略する。
【００６２】
図８の第１及び第２の遮光部１８２ａ，１８２ｂにおいて、第１及び第２の遮光部材１９１ａ，１９１ｂは、階段状又は段差状になっている。つまり、遮光部材１９１ａ，１９１ｂの窪み部分１９２ａ，１９２ｂは、最大遮蔽状態においてＹ方向に延びかつ−Ｚ方向に凸となる中空の角柱形状を有しており、全開状態と最大遮蔽状態との間では、先端側端部ＥＧ，ＥＧにおいて、矩形の切欠きを形成するものとなる。遮光部材１９１ａ，１９１ｂも、開閉部材１９８ａ，１９８ｂの作製工程においてプレス加工することにより、一体的に形成できる。なお、この場合においても、窪み部分１９２ａ，１９２ｂは、遮光部材１９１ａ，１９１ｂを開状態にする回動方向について凹状に窪んだ面形状となっている。第１及び第２の遮光部材１９１ａ，１９１ｂの先端側端部ＥＧ，ＥＧは、第１実施形態の遮光部材９１ａ，９１ｂと同様に、平面部分１９３ａ，１９３ｂの先端ＴＳ，ＴＳである第１の領域と、窪み部分１９２ａ，１９２ｂの先端ＨＳ，ＨＳである第２の領域とを備える。従って、遮光部材１９１ａ，１９１ｂは、図４等に示す遮光部材９１ａ，９１ｂと同様に、回動動作に伴って先端側端部ＥＧ，ＥＧの輪郭によって形成される矩形の切欠きの大きさが変化することで、遮光量の変化を比較的なだらかなものにし、かつ、最大遮蔽状態において照明光量を十分に下げることができるものとなる。
【００６３】
〔第３実施形態〕
以下、図９を参照して、本発明の第３実施形態に係るプロジェクターについて説明する。なお、本実施形態に係るプロジェクターは図１に示すプロジェクター１００の変形例であるので、第２実施形態の場合と同様に、図４に対応する部分のみ図９に示し、当該部分以外の構造については説明及び図示を省略する。
【００６４】
図９の第１及び第２の遮光部２８２ａ，２８２ｂにおいて、第１及び第２の遮光部材２９１ａ，２９１ｂの窪み部分２９２ａ，２９２ｂは、絞り加工により作製されている点で図４に示す遮光部材９１ａ，９１ｂとは異なる。窪み部分２９２ａ，２９２ｂは、開閉部材２９８ａ，２９８ｂの作製工程において、先端側端部ＥＧとなる部分について曲げ加工ではなく絞り加工を含むプレス加工を施すことで形成されている。当該絞り加工により、窪み部分２９２ａ，２９２ｂは、自由曲面形状を有している。この場合においても、当該自由曲面形状を適宜調整し、遮光部材２９１ａ，２９１ｂの先端側において、窪み部分２９２ａ，２９２ｂの先端ＨＳ，ＨＳ及び平面部分２９３ａ，２９３ｂの先端ＴＳ，ＴＳの形状を、図４等に示す遮光部材９１ａ，９１ｂの先端ＨＳ，ＨＳ及び先端ＴＳ，ＴＳと同様の形状にすることで、第１及び第２の遮光部材２９１ａ，２９１ｂの先端側端部ＥＧ，ＥＧは、第１実施形態の遮光部材９１ａ，９１ｂと同様に、平面部分２９３ａ，２９３ｂの先端ＴＳ，ＴＳである第１の領域と、窪み部分２９２ａ，２９２ｂの先端ＨＳ，ＨＳである第２の領域とを備える。その構成により、遮光量の変化を比較的なだらかなものにし、かつ、最大遮蔽状態において照明光量を十分に下げることができる。
【００６５】
〔第４実施形態〕
以下、図１０及び１１（Ａ）〜１１（Ｃ）を参照して、本発明の第４実施形態に係るプロジェクターについて説明する。なお、本実施形態に係るプロジェクターは図１に示すプロジェクター１００の変形例であるので一対の遮光部についてのみ図１０等に示し、これ以外の構造や機能については説明及び図示を省略する。
【００６６】
図１０に示すように、第１及び第２の遮光部３８２ａ，３８２ｂは、第１及び第２の開閉部材３９８ａ，３９８ｂを有している。図１０では、第１及び第２の開閉部材３９８ａ，３９８ｂがある程度開いた状態となっており、遮光量が中間の段階が示されている。
【００６７】
第１の開閉部材３９８ａは、板金プレス加工により形成され、第１の遮光部材３９１ａと、支持部材３９４ａとを有している。支持部材３９４ａは、第１の遮光部材３９１ａの根元側の側方から−Ｘ側に延びて、第１の遮光部材３９１ａをＸ方向に延びる中心軸ＡＸ１のまわりに回動可能に支持している。同様に、第２の開閉部材３９８ｂは、板金プレス加工により形成され、第２の遮光部材３９１ｂと、支持部材３９４ｂとを有し、第２の遮光部材３９１ｂは、その根元側近くの側方からＸ方向に延びる中心軸ＡＸ２のまわりに回動可能に支持されている。
【００６８】
図１０等に示すように、第１の遮光部材３９１ａは、最大遮蔽状態において光路下流側に向かう方向に延びるように折り曲げられた形状を有しており、中心軸ＡＸ１のまわりに回動する略平板状の本体部分ＢＢと、本体部分ＢＢのうち中心軸ＡＸ１から離れた先端側から延び回動の略接線方向に奥行きのあるように曲折している板状の部分である先端部分ＢＰとを有している。同様に、第２の遮光部材３９１ｂも、本体部分ＢＢと、先端部分ＢＰとを有している。両遮光部材３９１ａ，３９１ｂの先端部分ＢＰ，ＢＰのうち、最大遮蔽状態における光路下流側の先端部分において、中央側即ちシステム光軸ＳＡに近い側には横長の円弧状の切欠きの縁である切欠き部ＣＴ，ＣＴがそれぞれ形成されており、切欠き部ＣＴ，ＣＴによって弓形状の先端ＨＳ，ＨＳが形成されている。切欠き部ＣＴ，ＣＴは、閉状態から開状態にする回動方向に窪んだ（即ち開状態側に窪んだ）形状となっている。一方、切欠き部ＣＴ，ＣＴの周辺側即ちシステム光軸ＳＡから遠い側には切欠きがなく平坦部ＦＴ，ＦＴによって直線状の先端ＴＳ，ＴＳが形成されている。これら先端ＨＳ，ＨＳ及び先端ＴＳ，ＴＳによって、先端部分ＢＰ，ＢＰの先端側端部ＥＧ，ＥＧが形成されている。第１及び第２の遮光部材３９１ａ，３９１ｂの先端側端部ＥＧ，ＥＧは、第１実施形態の遮光部材９１ａ，９１ｂと同様に、先端部分ＢＰ，ＢＰの平坦部ＦＴ，ＦＴの先端ＴＳ，ＴＳである第１の領域と、切り欠き部ＣＴ，ＣＴの先端ＨＳ，ＨＳである第２の領域とを備える。また、先端部分ＢＰ，ＢＰは、先端側端部ＥＧ，ＥＧの逆側即ち遮光部材３９１ａ，３９１ｂの本体部分ＢＢ，ＢＢとの境界として稜線部ＦＰ，ＦＰを有している。稜線部ＦＰ，ＦＰでの本体部に対する先端部分ＢＰ，ＢＰの屈曲の度合いや先端部分ＢＰ，ＢＰの奥行きを適宜調整することで、第１及び第２の遮光部材３９１ａ，３９１ｂにおける先端側端部ＥＧ，ＥＧの位置即ち先端ＨＳ，ＨＳ及び先端ＴＳ，ＴＳの位置が調整されている。
【００６９】
本実施形態の場合、上記のような構成であることで、先端側端部ＥＧ，ＥＧの輪郭即ち先端ＨＳ，ＨＳ及び先端ＴＳ，ＴＳの輪郭は、図４等に示す第１及び第２の遮光部材９１ａ，９１ｂの先端ＨＳ，ＨＳ及び先端ＴＳ，ＴＳの輪郭と同様の形状を有するものにできる。これにより、遮光部材３９１ａ，３９１ｂの回動動作において、先端側端部ＥＧ，ＥＧによって形成される遮蔽領域（逆に見れば照明光投影領域）の形状は、第１実施形態の場合と同様に変化させることができる。
【００７０】
第１及び第２の遮光部材３９１ａ，３９１ｂは、図１１（Ａ）〜１１（Ｃ）に示すように、回動動作によって、全開状態になったり（図１１（Ａ）参照）、全閉状態（最大遮蔽状態）になったり（図１１（Ｃ）参照）、あるいは、中間程度開いた状態となったり（図１１（Ｂ）参照）する。この際に、遮光部材３９１ａ，３９１ｂは、上述したような構成を有することで、先端ＨＳ，ＨＳによる弓形状の輪郭が第１実施形態の図６（Ａ）等に示した場合と同様に変化する。つまり、図１１（Ａ）に示す開状態では、先端ＨＳ，ＨＳによる弓形状の輪郭が深く、図１１（Ｂ）に示すよう中間の状態では、端ＨＳ，ＨＳによる弓形状の輪郭がやや浅くなっており、回動角度に応じて遮光量が変化していく。これにより、遮光量の変化がなだらかなものとなる。また、図１１（Ｃ）に示すように、全閉時には、先端部分ＢＰ，ＢＰの稜線部ＦＰ，ＦＰにより遮蔽領域の輪郭全体が図６（Ｃ）の場合と同様に一直線状の輪郭を形成する。以上により、本実施形態においても、遮光量の変化を遮光量の変化を比較的なだらかなものにし、かつ、最大遮蔽状態において照明光量を十分に下げることができる。なお、先端部分ＢＰ，ＢＰの屈曲の度合いを適宜調整することで、稜線部ＦＰ，ＦＰに限らず、先端部分ＢＰ，ＢＰのいずれかの部分又は全体で一直線状の輪郭を形成させることが可能である。
【００７１】
なお、この発明は、上記の実施形態に限られるものではなく、その要旨を逸脱しない範囲において種々の態様で実施することが可能であり、例えば次のような変形も可能である。
【００７２】
まず、各実施形態において、窪み部分９２ａ，９２ｂ，１９２ａ，１９２ｂ，２９２ａ，２９２ｂの先端ＨＳ，ＨＳは、円弧状或いは１段の段差状の凹（凸）形状としているが、先端ＨＳ，ＨＳの形状はこれらに限らず、曲げ加工における曲げ具合や絞り加工における自由曲面の形状を適宜変更することで、例えばＶ字状の谷型、あるいは複数の円弧状や段差状等、必要とする遮光量の変化に応じて種々の形状のものが作製可能である。
【００７３】
また、例えば第１及び第２実施形態では、いずれも曲げ加工により一様な円筒状・中空角柱状の窪み部分９２ａ，９２ｂ，１９２ａ，１９２ｂを形成しているが、遮光量の変化に影響するのは、先端側端部ＥＧの形状であり、第３実施形態の絞り加工やその他種々の加工方法により先端側端部ＥＧの形状を形成するものであってもよい。
【００７４】
また、上記実施形態では、いずれも、一対の遮光部材９１ａ，９１ｂ，１９１ａ，１９１ｂ，２９１ａ，２９１ｂ，３９１ａ，３９１ｂがシステム光軸ＳＡを挟んで対称なものとなっていたが、例えば光源の特性等に応じて非対称な形状であってもよい。
【００７５】
また、例えば第１実施形態では、一対の遮光部８２ａ，８２ｂを観音開きに開閉するタイプの調光装置８０としたが、一枚の遮光板を回動させるものであってもよい。
【００７６】
また、第１〜第３実施形態では、遮光部材９１ａ，９１ｂ，１９１ａ，１９１ｂ，２９１ａ，２９１ｂの全閉状態においても第１遮光部材と第２遮光部材との間に隙間がある構成で説明したが、全閉時に第１遮光部材と第２遮光部材との間に隙間のない状態とすることもでき、光学設計に応じて隙間の量を適宜選択できる。同様に、第４実施形態では、遮光部材３９１ａ，３９１ｂの全閉状態において第１遮光部材と第２遮光部材との間に隙間がない構成で説明したが、光学設計に応じて隙間の量を適宜選択できる。
【００７７】
また、上記実施形態では、光源ランプユニット２０に用いる発光管２２ａとして高圧水銀ランプを用いたが、メタルハライドランプ等を用いてもよい。
【００７８】
また、上記実施形態では、光源ランプユニット２０等からの光を特定方向の偏光とする偏光変換部材３４を用いていたが、この発明は、このような偏光変換部材３４を用いない照明装置にも適用可能である。
【００７９】
また、上記実施形態では、透過型の液晶ライトバルブ５０ａ，５０ｂ，５０ｃを備えるプロジェクターに本発明を適用した場合の例について説明したが、本発明は、反射型の液晶ライトバルブを備えるプロジェクターにも適用することが可能である。ここで、「透過型」とは、液晶ライトバルブが光を透過するタイプであることを意味しており、「反射型」とは、液晶ライトバルブが光を反射するタイプであることを意味している。
【００８０】
また、プロジェクターとしては、投射面を観察する方向から画像投射を行う前面投射型のプロジェクターと、投射面を観察する方向とは反対側から画像投射を行う背面投射型のプロジェクターとがあるが、図１等に示すプロジェクターの構成は、いずれにも適用可能である。
【００８１】
また、上記実施形態では、色分離導光光学系４０や液晶ライトバルブ５０ａ，５０ｂ，５０ｃ等を用いて各色の光変調を行っているが、これらに代えて、例えば照明装置によって照明されるカラーホイールと、マイクロミラーの画素によって構成されカラーホイールの透過光が照射されるデバイス（光変調部）とを組合せたものとを用いることによって、カラーの光変調及び合成を行うこともできる。
【符号の説明】
【００８２】
１００…プロジェクター、  １０…照明装置、  ２０…光源ランプユニット、  ３０…均一化光学系、  ３１，３２…レンズアレイ、  ８０…調光装置、  ８１…固定部材、  ８２ａ，８２ｂ，１８２ａ，１８２ｂ，２８２ａ，２８２ｂ…遮光部、  ９８ａ，９８ｂ…開閉部材、  ９１ａ，９１ｂ，１９１ａ，１９１ｂ，２９１ａ，２９１ｂ，３９１ａ，３９１ｂ…遮光部材、  ９２ａ，９２ｂ，１９２ａ，１９２ｂ，２９２ａ，２９２ｂ…窪み部分、  ８５…駆動機構、  ４０…色分離導光光学系、  ５０…光変調部、  ６０…クロスダイクロイックプリズム、  ７０…投射光学系、  ＥＧ…先端側端部、  ＡＸ１，ＡＸ２…中心軸、  ＳＡ…システム光軸
【図１】
0005509845.tif 000002
【図２】
0005509845.tif 000003
【図３】
0005509845.tif 000004
【図４】
0005509845.tif 000005
【図５】
0005509845.tif 000006
【図６】
0005509845.tif 000007
【図７】
0005509845.tif 000008
【図８】
0005509845.tif 000009
【図９】
0005509845.tif 000010
【図１０】
0005509845.tif 000011
【図１１】
0005509845.tif 000012